(57)【特許請求の範囲】
【請求項１】
幕板は左右に二分割された一対の幕板片を水平面内で屈伸可能なるように連結することで構成され、該幕板を底板と左右の側板と天板とからなる縦長四角形状の機枠における該底板の前面側に幕板ロック機構によって非張出状態に保持されるように配設し、該幕板ロック機構のロック解除部を操作することによっては該幕板がＶ字状に屈折し前方に張り出すようにしたことを特徴とする自立装置を備えた遊技機。
【請求項２】
前記幕板を付勢部材により前方に張り出すように付勢し、前記ロック解除部を操作することにより前記幕板はロック解除され前記付勢部材の付勢により前方に張り出すようにしたことを特徴とする請求項１に記載した自立装置を備えた遊技機。
【請求項３】
前記幕板の両端部を軸支する一対のスライダーを前記機枠内に設けられたレールに沿ってそれぞれ水平方向に摺動可能なるように配設し、前記ロック機構を操作することで前記両スライダーが接近して該幕板がＶ字状に屈折し前方に張り出し得るようにしたことを特徴とする請求項１または２に記載した自立装置を備えた遊技機。
【請求項４】
一対のスライダーにラック歯をそれぞれ水平方向に固設し、両ラック歯に噛合するピニオンを回転自在なるように支持し、幕板が屈伸する際に両スライダーは水平方向で反対向きに常に同距離スライドするようにしたことを特徴とする請求項３に記載した自立装置を備えた遊技機。
【請求項５】
幕板を構成する一方の幕板片に連結杆の一端部を枢着し、他方の幕板片にガイド溝を形成するとともに該ガイド溝の一端に係合溝を連設し、該ガイド溝に前記連結杆の他端部を遊嵌し、該幕板が屈伸する際に該連結杆の先端部を該ガイド溝に沿って摺動させ、該幕板が前方に張り出した際に該連結杆の先端部が前記係合溝に係止され該幕板がＶ字状に保持されるようにしたことを特徴とする請求項３または４に記載した自立装置を備えた遊技機。
【請求項６】
連結杆の先端部と前記係合溝との係合を解除させる解除操作部を幕板に設けてなることを特徴とした請求項５に記載した自立装置を備えた遊技機。
【発明の詳細な説明】
【技術分野】
【０００１】
本発明は、パチンコ，アレンジボール，雀球等の遊技球が転動可能な遊技領域を有する遊技板を備えた遊技機に関し、特には、床面に転倒することなく置くことができるようにするための転倒防止用の自立装置を備えた遊技機に関するものである。
【背景技術】
【０００２】
一般にパチンコ遊技機等の弾球遊技機は、縦長の四角形枠状の機枠（外枠）の一側縁に遊技機本体が開閉可能にヒンジされ、該遊技機本体にさらに透明板保持枠（ガラス枠）を開閉可能にヒンジしてなる。そして、近時はデザイン性の観点から該透明板保持枠の両側縁や上縁部を前方に大きく張り出させ、その張出部に多数の電飾装置やスピーカを設け、遊技状況に応じて該電飾装置を作動させることで煌びやかな演出がされるようにしている。このため遊技機の前側が後側よりも重くなる傾向にあり、例えば、遊技場に新しい遊技機を設置するに際して、該遊技機を遊技場の床面に一時的に置く際に該遊技機が前方に倒れ易いといった問題があり、倒れた際の衝撃により遊技機の前面が破損されてしまうおそれがあった。また、遊技機前面の透明板保持枠を開くと重心がいっそう前方に移動し、より前方に倒れ易くなる。このため不安定な状態で遊技機を保持しながら作業しなければならないという問題があった。
【０００３】
一方、下記特許文献１には、転倒防止用脚を機枠の左右の側板に後方へ回動自在なるようにヒンジした遊技機が示され、該遊技機では該転倒防止用脚を後方に最大回転角度まで回動することで後方への転倒を防止できるようにしている。
また、特許文献２には、遊技機の機枠内底部に水平面内で後方へ回転可能なるように支持脚を設け、該支持脚を後方に回転させた後に該支持脚の先端を床面に接地し得るように下方にスライドすることで、遊技機の後方への転倒を防止し得る装置が示されている。
【先行技術文献】
【特許文献】
【０００４】
【特許文献１】特開２００７−７５４５４号公報
【特許文献２】特開２００８−２４５８４７号公報
【発明の概要】
【発明が解決しようとする課題】
【０００５】
ところで、パチンコ遊技機の機枠は一般に縦長であり、その高い位置に重心があるため、こうした遊技機を特許文献１に示されたような転倒防止用脚で支えようとすると、安全性の観点からできるだけ上方（高い位置）にヒンジ部を設けなければならず、しかも、パチンコ遊技機は遊技場島台に多数を隙間なく配置するものであることから、該ヒンジ部は当然に機枠の内側に設けなければならないものであり、そうすると該転倒防止用脚が液晶表示装置や遊技制御装置などを含む大きな遊技盤ユニットを設けるための重要なスペースを邪魔するといった問題がある。また、このような転倒防止用脚を仮に遊技機の前面に設けたとすると、遊技者に無用に操作されるおそれや、美観を損なうおそれが大であった。
【０００６】
また、特許文献２に示された転倒防止装置についても、遊技機の前面に設けた場合に、遊技者に無用に操作されるおそれがあるとともに、美観が損なわれるといった問題がある。
【課題を解決するための手段】
【０００７】
本発明に係る自立装置を備えた遊技機は上記問題点を解決しようとするもので、底板と左右の側板と天板とからなる縦長四角形状の機枠における該底板の前面側に前方に張り出し得るように幕板を水平面内で回転自在なるように軸支し、ロック解除部が遊技機の前面側に露呈しないように設けられた幕板ロック機構を備え、前記幕板は該幕板ロック機構により非張出状態に保持され、前記ロック解除部を操作することにより前記幕板はロック解除されて前方に張り出すようにしたことを特徴とする。
このように幕板が前方に張り出すようにしたので、従来からの遊技機のデッドスペースに美観を損なうことなく設けることができる。
また、本発明は上記遊技機において、前記幕板を付勢部材により前方に張り出すように付勢し、前記ロック解除部を操作することにより前記幕板はロック解除され前記付勢部材の付勢により前方に張り出すようにしたことを特徴とする。
このように、付勢された幕板がワンタッチで前方に張り出すので、操作が簡単になる。
【０００８】
また本発明は上記遊技機において、幕板は左右に二分割された一対の幕板片を水平面内で屈伸可能なるように連結することで構成され、該幕板の両端部を軸支する一対のスライダーを前記機枠内に設けられたレールに沿ってそれぞれ水平方向に摺動可能なるように配設し、前記ロック機構を操作することで前記両スライダーが接近して該幕板がＶ字状に屈折し前方に張り出し得るようにしたことを特徴とする。
幕板がＶ字状に屈折し前方に張り出すことで十分な強度が得られ、重い遊技機であっても確実に転倒を防止することができる。
また本発明は上記遊技機において、一対のスライダーにラック歯をそれぞれ水平方向に固設し、両ラック歯に噛合するピニオンを回転自在なるように支持し、幕板が屈伸する際に両スライダーは水平方向で反対向きに常に同距離スライドするようにしたことを特徴とする。
このように両スライダーの動きを、ラック歯及びピニオンを介して同期させることにより、前記付勢部材の付勢力を調節し、幕板を緩やかに張り出すことができる。このような構成を採用することによって、幕板が急に飛び出し作業者に衝突する事故を未然に防止することができる。
【０００９】
また本発明は上記遊技機において、幕板を構成する一方の幕板片に連結杆の一端部を枢着し、他方の幕板片にガイド溝を形成するとともに該ガイド溝の一端に係合溝を連設し、該ガイド溝に前記連結杆の他端部を遊嵌し、該幕板が屈伸する際に該連結杆の先端部を該ガイド溝に沿って摺動させ、該幕板が前方に張り出した際に該連結杆の先端部が前記係合溝に係止され該幕板がＶ字状に保持されるようにしたことを特徴とする。
このように幕板がＶ字状に屈折し前方に張り出した際に連結杆が架されることで、このＶ字状張出状態での強度が一層増す。
また本発明は上記遊技機において、連結杆の先端部と前記係合溝との係合を解除させる解除操作部を幕板に設けてなることを特徴とした。
このように連結杆の先端部と係合溝との係合を解除させる解除操作部を幕板に設けることで、幕板を張り出した状態から非張出状態に変位させようとする場合に、連結杆の先端部と係合溝とに係合を解除する際に、二分割された一対の幕板片間に、操作者が手を入れたまま非張出状態に変位させ指を挟むようなことが無くなり安全性を確保することができる。
【発明の効果】
【００１０】
本発明に係る自立装置は、遊技機のデッドスペースに美観を損なうことなく設けることができるとともに、操作が容易である。
【図面の簡単な説明】
【００１１】
【図１】本発明に係る遊技機の自立装置を作動させた際の斜視図。
【図２】本発明に係る自立装置の器筺の分解斜視図。
【図３】本発明に係る自立装置の器筺の背面の斜視図。
【図４】本発明に係る自立装置のスライダーの斜視図。
【図５】本発明に係る自立装置の一方のスライダーの分解斜視図。
【図６】本発明に係る自立装置の他方のスライダーの分解斜視図。
【図７】本発明に係る自立装置の幕板の分解斜視図。
【図８】本発明に係る自立装置のスライダーの作動状態を示す背面の斜視図。
【図９】本発明に係る自立装置のスライダーの作動状態を示す背面の斜視図。
【図１０】本発明に係る自立装置の幕板を構成する一対の幕板片の斜視図。
【図１１】図１０の分解斜視図。
【図１２】図１１の解除操作部の背面の斜視図。
【図１３】本発明に係る自立装置の幕板ロック機構の斜視図。
【図１４】本発明に係る自立装置の幕板ロック機構の背面の斜視図。
【図１５】本発明に係る自立装置の幕板の非張出状態の斜視図。
【図１６】本発明に係る自立装置の背面の斜視図。
【図１７】本発明に係る自立装置の水平断面図。
【図１８】本発明に係る自立装置の幕板の張出状態を示した斜視図。
【図１９】図１８の水平断面図。
【図２０】本発明に係る自立装置の幕板の張出状態を示した背面の斜視図。
【発明を実施するための形態】
【００１２】
次に本発明の実施形態を図面に従い説明する。図１に遊技板１ａと透明板保持枠１ｂと打球保持皿１ｃと打球発射装置１ｄが備えられ、該透明板保持枠１ｂの両側縁や上縁部を前方に大きく張り出させ、その張出部に電飾装置１ｅが設けられたパチンコ遊技機を示し、同図は該遊技機１の機枠２の底部に設けられた自立装置３を作動させた状態である。このように本発明に係る自立装置３は遊技機１の下部前面を覆う幕板４ａ，４ｂをＶ字状に屈折させて前方に張り出すことにより、該遊技機１の前方への転倒を防止し得るように構成される。なお、自立装置３が設けられる部分は、従来から一枚の横長の長方形状の幕板が機枠の一部として設けられていた部分であり、その裏側に従来では殆ど利用されていない空間があった。本発明に係る自立装置３は、機枠２底部のこのようなデッドスペースに設けられるものであり、以下にこの自立装置３の構成を詳しく説明する。
【００１３】
図２に自立装置３が組み込まれる器筺の分解斜視図を示し、前記機枠２の底部を構成する長方形状の底板５は、上面の前縁を段状に切り欠くことで切欠縁６が形成され、該切欠縁６に合致するように横断面鉤状に折り曲げられた組付基板７が該底板５の前縁部にビス止めされ、該組付基板７上の略々中央に起立板８がビス止めされ、該起立板８の前面にバネ止片９ａ，９ｂが固着され、該組付基板７の両端部には支柱１０ａ，１０ｂが垂直に樹立される。また、一対のコ字枠状の保持枠１１ａ，１１ｂを備え、該保持枠１１ａ，１１ｂに丸棒状のレール１２ａ，１２ａ，１２ｂ，１２ｂがそれぞれ水平に保持され、該保持枠１１ａ，１１ｂが組付基板７の前縁部にビス止めされる。また、略長方形状の天板１３の両端縁に端板部１４ａ，１４ｂが垂下状に一体に形成され、該天板１３の前縁両端部寄りに垂下片１５ａ，１５ｂが形成される。該天板１３は前記支柱１０ａ，１０ｂにより水平に支持される。また、長方形状の背板１６の上下縁を天板１３の後縁と前記組付基板７の後縁とにそれぞれビス止めする。これにより、図３に示したように前面が開口した器筺が形成される。なお、前記垂下片１５ａ，１５ｂの前面に幕板端表装部材１７ａ，１７ｂがビス止めされる。１８は前記打球保持皿１ｃを開閉可能に軸支するために天板１３の一端部上面にビス止めされた軸受金具、１９は天板１３の上面前縁にビス止めされ、前記打球保持皿１ｃを閉じる際に、前記打球保持皿１ｃを閉鎖方向に導く目的で設けられた前方へ向けて下向傾斜となる板状の幕上縁材である。
【００１４】
次に前記レール１２ａ，１２ａ，１２ｂ，１２ｂにそれぞれ摺動自在に取着される一対のスライダー２５ａ，２５ｂの構成を図４〜図９に従い説明する。一方のスライダー２５ａは、図５に分解斜視図を示したように、保持部材２６ａの四隅部に軽摩擦にするための筒形のスライドカラー２７ａが止着され、該保持部材２６ａを両面から挟むように板状金具２０ａ，２１ａがビス止めされ、板状金具２０ａには前方に突出する軸受部２９ａが形成され、該軸受部２９ａによって支軸３０ａが垂直に軸支され、該支軸３０ａに巻きバネ３１ａが巻着される。また、該板状金具２０ａの裏側に取付金具３９ａがビス止めされ、該取付金具３９ａに形成された鉤状部３２ａにコイル状のバネからなる付勢部材３３ａの一端が係止され、該取付金具３９ａの水平に延びる延長部３４ａにラック歯３５ａがその歯面が下向きとなるように水平に固着される。
【００１５】
また、他方のスライダー２５ｂは、図６に分解斜視図を示したように、スライダー２５ａと左右対称形であって、構成部品はスライダー２５ａと同様であり、保持部材２６ｂの四隅部にスライドカラー２７ｂが止着され、該保持部材２６ｂを両面から挟むように板状金具２０ｂ，２１ｂがビス止めされ、板状金具２０ｂに前方に突出する軸受部２９ｂが形成され、該軸受部２９ｂによって支軸３０ｂが垂直に軸支され、該支軸３０ｂに巻きバネ３１ｂが巻着される。また、該板状金具２０ｂの裏側に取付金具３９ｂがビス止めされ、該取付金具３９ｂに形成された鉤状部３２ｂにコイル状のバネからなる付勢部材３３ｂの一端が係止され、該取付金具３９ｂの水平に延びる延長部３４ｂにラック歯３５ｂがその歯面が上向きとなるように水平に固着される。
【００１６】
そして、前記レール１２ａ，１２ａに前記スライドカラー２７ａを貫挿することでスライダー２５ａを摺動自在に支持し、前記レール１２ｂ，１２ｂに前記スライドカラー２７ｂを貫挿することでスライダー２５ｂを摺動自在に支持するとともに、図４に示したピニオン３７を軸受体３８により回転自在に支持し、該軸受体３８を取付具３８ａを介して前記背板１６に固着することにより、該ピニオン３７が前記ラック歯３５ａとラック歯３５ｂとに共に噛合するように配設する。このようにピニオン３７を両ラック歯３５ａ，３５ｂに噛合させることにより、両スライダー２５ａ，２５ｂは同期し、レール１２ａ，１２ａ，１２ｂ，１２ｂに沿って水平方向で反対向きに常に同距離だけスライドするようになる。図８，図９にこの配設状況およびスライド状況が図示される。なお、前記付勢部材３３ａの他端を前記バネ止片９ａに係止することにより該スライダー２５ａは内向きに付勢され、前記付勢部材３３ｂの他端をバネ止片９ｂに係止することにより該スライダー２５ｂも内向きに付勢される。即ち、両スライダー２５ａ，２５ｂは、該付勢部材３３ａ，３３ｂによって互いに接近する方向に付勢される。
【００１７】
一方、前記幕板４ａ，４ｂは、図７および図１０，図１１に示したように、左右に二分割された横断面略コ字形の一対の略長方形板状の幕板片４０ａ，４０ｂをその間に蝶番４１を介在させることにより屈伸可能に連結してなる。なお、該各幕板片４０ａ，４０ｂの前面に表装板４２ａ，４２ｂがビス止めされる。該蝶番４１は、蝶番部材４１ａ，４１ｂに形成された軸受孔に枢軸４３を貫挿することにより構成され、該蝶番部材４１ａ，４１ｂを幕板片４０ａ，４０ｂの一端部の裏面にそれぞれビス止めすることで、該幕板片４０ａ，４０ｂを屈伸可能にする。なお、幕板片４０ａの裏面の前記蝶番部材４１ａに接近する部位に係止片４５が固着され、該係止片４５の鉤状に折曲した先端部が幕板片４０ａの背面から後方に向けて突出されている。また、幕板片４０ｂの裏面の上縁部に係止部３６がビス止めされる。
【００１８】
また、一方の幕板片４０ａの上縁部に連結杆４６の基端部をピン４７によって枢着し、該連結杆４６の先端部にピン４８を設ける。また、他方の幕板片４０ｂの上縁部にガイド溝４９を該幕板片４０ｂの長手方向に沿って形成するとともに該ガイド溝４９の一端に該ガイド溝４９を少し屈折させることで係合溝５０を連設し、該ガイド溝４９に前記ピン４８を摺動自在に遊嵌するとともに、該ピン４８に一端を係止したコイル状のバネ５１の他端を前記係止部３６に係止し、該ピン４８が係合溝５０方向に付勢されるようにする。
【００１９】
次に係合溝５０に位置した前記ピン４８を該係合溝５０から脱出させその係合を解除し得るようにする解除操作部６０の構成を図１２により説明する。図７に示したように、前記幕板片４０ｂに形成された長孔５４に表装板４２ｂの前面に摘子５２が露呈するように摺動片５３を該長孔５４中にて左右に摺動自在なるように装着し、該幕板片４０ｂの裏面にビス５５ａにより一端が係止された小さいコイル状のバネ５５により該摺動片５３を矢印方向に付勢している。このため、摘子５２を指先で押さえつつ該バネ５５の弾性に抗して該摺動片５３をスライドさせると、該摺動片５３に形成された鉤状の作用部５３ａが前記係合溝５０中にある前記ピン４８に当接して押すことで該ピン４８が係合溝５０から脱出される。なお、摘子５２から指先を離せば、前記バネ５５の弾性により摺動片５３は元に戻される。
【００２０】
そして、前記幕板片４０ａ，４０ｂは、前記各スライダー２５ａ，２５ｂの支軸３０ａ，３０ｂを該各幕板片４０ａ，４０ｂの両端部に形成された軸受部にそれぞれ貫挿することにより、水平面内で回転自在なるように軸支される。ここで、前記巻きバネ３１ａ，３１ｂは、該各幕板片４０ａ，４０ｂを前方に張り出させる方向に付勢している。
【００２１】
次に、幕板ロック機構６１の構成を図１３，図１４に従い説明する。該幕板ロック機構６１は、前記幕板片４０ａの裏面に固着された鉤状片４５を前記背板１６に設けられた錠金具５９に係脱させるもので、該錠金具５９は内部に進退自在なるようにロック片５７が設けられ、該ロック片５７は該錠金具内のバネにより常態ではクサビ状に形成された先端部５８が外に突出するように付勢され、該錠金具５９のロック解除部であるプッシュボタン５６が前記背板１６の背面に露呈するように該背板１６に設けられる。そこで、前記鉤状片４５が該先端部５８のクサビ状斜面に当接すると該錠金具５９内のバネの弾性に抗して該ロック片５７の先端部５８が該錠金具５９内に一時的に後退し、該バネの弾性で復帰し突出することにより、図１４に示したように該鉤状片４５と係合し、幕板４ａ，４ｂが非張出状態（閉状態）にロックされるようにしている。またこの非張出状態にて前記プッシュボタン５６が押圧操作されると、先端部５８は後退し、該鉤状片４５との係合が解除されることから、幕板４ａ，４ｂは前方に張り出し可能となる。そこで、前記両スライダー２５ａ，２５ｂが付勢部材３３ａ，３３ｂの付勢によって接近し、幕板４ａ，４ｂをＶ字状に屈折させて前方に張り出させる。なお、このように幕板ロック機構６１のロック解除部であるプッシュボタン５６は、遊技機の前面側に露呈しないように設けられ、遊技者からはいっさい操作できないようにする。
【００２２】
このように本発明に係る自立装置を備えた遊技機は、例えば遊技場に設置するため該遊技場の床面に起立状態で仮置きするに際し、該遊技機の裏側からプッシュボタン５６を押圧操作することで、幕板４ａ，４ｂがいっきにＶ字状に屈折し、図１に示したように前方に張り出す。このため、該遊技機は安定した起立状態となり、前方への転倒が防止される。また、このように幕板４ａ，４ｂが屈折するとき、前記連結杆４６先端部のピン４８は前記バネ５１に牽引されて前記ガイド溝４９中を摺動し係合溝５０に入って係止されることから、該連結杆４６が幕板片４０ａ，４０ｂ間に架され、平面三角形状のトラストを形成する。このため強度が増し、重い遊技機であっても転倒を確実に防止することができる。しかも、該幕板４ａ，４ｂは、付勢部材３３ａ，３３ｂに付勢されているので、プッシュボタン５６を押圧するだけでワンタッチで前方に張り出し、操作が簡便となる。
【００２３】
なお、前方に張り出した幕板４ａ，４ｂを元に戻すには、前記摘子５２を指先で押さえつつガイド溝４方向にスライドさせれば、前記ピン４８は係合溝５０から脱出しガイド溝４９に戻る。その後は該ピン４８はガイド溝４９中を自在にスライドし得るようになるので、幕板４ａ，４ｂを手で押せば、該幕板４ａ，４ｂは元のように直線状に伸びて前記幕板端表装部材１７ａ，１７ｂの間に収蔵され、非張出状態（閉状態）となる。このとき前記鉤状片４５が前記ロック片５７に係合することで、この非張出状態が保持される。このため、該遊技機を遊技場の島台に設置した状態では、遊技者が該遊技機の前面から見てこうした自立装置が存在することも判らなくなり、美観を損なうおそれがない。なお、前記摘子５２は幕板４ｂの表面に露呈したままであるが、該摘子５２は、たとえ遊技者が操作したとしても、摺動片５３が左右に動くだけであるので何ら支障はない。
また、前記ラック歯３５ａ，３５ｂに共通のピニオン３７が噛合され、前記スライダー２５ａ，２５ｂは水平方向で反対向きに常に同距離スライドするようにしたので、前記付勢部材３３ａ，３３ｂの付勢力を調節し、幕板４ａ，４ｂを緩やかに張り出させることができ、該幕板４ａ，４ｂが急に飛び出して作業者に衝突するといった事故を起こすことがないようにしている。
【００２４】
このように本発明に係る自立装置を備えた遊技機は、幕板が前方に張り出すようにしたので、従来からのデッドスペースに遊技機の美的な外観を損なうことなく設けることができる。また、遊技機の裏側から操作することでワンタッチで幕板が前方に張り出すので、操作が簡単であるとともに、その張出状態にて十分な強度が得られる。このためこの自立装置を備えることで、重い遊技機であっても確実に転倒を防止することができる。
【符号の説明】
【００２５】
１                              遊技機
１ａ                            遊技板
１ｂ                            透明板保持枠
１ｃ                            打球保持皿
１ｄ                            打球発射装置
１ｅ                            電飾装置
２                              機枠
３                              自立装置
４ａ，４ｂ                      幕板
５                              底板
６                              切欠縁
７                              組付基板
８                              起立板
９ａ，９ｂ                      バネ止片
１０ａ，１０ｂ                  支柱
１１ａ，１１ｂ                  保持枠
１２ａ，１２ａ，１２ｂ，１２ｂ  レール
１３                            天板
１４ａ，１４ｂ                  端板部
１５ａ，１５ｂ                  垂下片
１６                            背板
１７ａ，１７ｂ                  幕板端表装部材
１８                            軸受金具
１９                            幕上縁材
２０ａ，２１ａ，２０ｂ，２１ｂ  板状金具
２５ａ，２５ｂ                  スライダー
２６ａ，２６ｂ                  保持部材
２７ａ，２７ｂ                  スライドカラー
２９ａ，２９ｂ                  軸受部
３０ａ，３０ｂ                  支軸
３１ａ，３１ｂ                  巻きバネ
３２ａ，３２ｂ                  鉤状部
３３ａ，３３ｂ                  付勢部材
３４ａ，３４ｂ                  延長部
３５ａ，３５ｂ                  ラック歯
３６                            係止部
３７                            ピニオン
３８                            軸受体
３８ａ                          取付具
３９ａ，３９ｂ                  取付金具
４０ａ，４０ｂ                  幕板片
４１                            蝶番
４１ａ，４１ｂ                  蝶番部材
４２ａ，４２ｂ                  表装板
４３                            枢軸
４５                            係止片
４６                            連結杆
４７，４８                      ピン
４９                            ガイド溝
５０                            係合溝
５１                            バネ
５２                            摘子
５３                            摺動片
５３ａ                          作用部
５４                            長孔
５５                            バネ
５６                            プッシュボタン
５７                            ロック片
５８                            クサビ状先端部
５９                            錠金具
６０                            解除操作部
６１                            幕板ロック機構
【図１】
0006626263.tif 000002
【図２】
0006626263.tif 000003
【図３】
0006626263.tif 000004
【図４】
0006626263.tif 000005
【図５】
0006626263.tif 000006
【図６】
0006626263.tif 000007
【図７】
0006626263.tif 000008
【図８】
0006626263.tif 000009
【図９】
0006626263.tif 000010
【図１０】
0006626263.tif 000011
【図１１】
0006626263.tif 000012
【図１２】
0006626263.tif 000013
【図１３】
0006626263.tif 000014
【図１４】
0006626263.tif 000015
【図１５】
0006626263.tif 000016
【図１６】
0006626263.tif 000017
【図１７】
0006626263.tif 000018
【図１８】
0006626263.tif 000019
【図１９】
0006626263.tif 000020
【図２０】
0006626263.tif 000021